(57)【特許請求の範囲】
【請求項１】
バーナボディ上に載置される環状のバーナキャップを備え、バーナボディの上面外周部とバーナキャップの下面外周部との一方に他方に当接する環状壁を突設して、この環状壁に、周方向の間隔を存して複数の炎口を形成したコンロバーナであって、バーナキャップの上面を上下方向の隙間を存して覆う環状のバーナカバーを備えるものにおいて、
バーナカバーの外周縁部とバーナキャップの上面外周部との少なくとも一方に、バーナキャップとバーナカバーとの間の隙間を全周に亘り閉塞する外周筒部が設けられ、
バーナキャップの上面に第１環状板、バーナカバーの下面に第２環状板が固定され、第１環状板の周方向複数個所に舌片状の固定片、第２環状板の周方向複数個所に舌片状の係合片が設けられ、係合片と固定片との一方に、当該一方が係合片である場合は上方、当該一方が固定片である場合は下方に膨出する凸部が形成され、係合片が固定片の周方向一方に外れた状態からバーナカバーを周方向他方に回動させることにより、係合片と固定片との少なくとも一方を上下方向に弾性変形させた状態で係合片が固定片の下方に凸部を挟んで重ね合せられるようにしたことを特徴とするコンロバーナ。
【請求項２】
前記係合片と前記固定片との他方に、係合片が固定片の下方に重ね合せられたときに前記凸部の一部が入り込む穴部が形成されることを特徴とする請求項１記載のコンロバーナ。
【発明の詳細な説明】
【技術分野】
【０００１】
本発明は、ガスコンロに設けられるコンロバーナに関する。
【背景技術】
【０００２】
コンロバーナは、バーナボディ上に載置される環状のバーナキャップを備え、バーナボディの上面外周部とバーナキャップの下面外周部との一方に他方に当接する環状壁を突設して、この環状壁に、周方向の間隔を存して複数の炎口を形成している。
【０００３】
ところで、燃焼時に炎口に近いため高温になるバーナキャップの上面外周寄り部分に煮こぼれが落下すると、煮こぼれが落下したバーナキャップの部分が急冷されて、バーナキャップの耐久性に悪影響が及ぶ。そこで、従来、バーナキャップの上面を上下方向の隙間を存して覆う環状のバーナカバーを備えるコンロバーナも知られている（例えば、特許文献１参照）。
【０００４】
然し、このものでも、バーナカバー上に落下した煮こぼれがバーナカバーの外周縁からバーナカバーの下面に回り込んでバーナキャップの上面外周寄り部分に落下してしまうことがある。従って、煮こぼれがバーナキャップの上面外周寄り部分に落下することを確実には防止できない。
【０００５】
かかる不具合を解消するため、本願出願人は、先に特願２０１４−２４６００２で、バーナカバーの外周縁部とバーナキャップの上面外周部との少なくとも一方に、バーナキャップとバーナカバーとの間の隙間を全周に亘り閉塞する外周筒部を設けたものを提案した。これによれば、バーナカバー上に落下した煮こぼれがバーナカバーの外周縁からバーナカバーの下面に回り込むことを外周筒部で阻止でき、煮こぼれがバーナカバーの下面を伝ってバーナキャップの上面外周寄り部分に落下することを防止できる。
【０００６】
また、上記先願のものでは、バーナカバーがバーナキャップ上で位置ずれしないように、バーナカバーに下方にのびる爪部を設けると共に、バーナキャップの上面に爪部が圧入される凹孔を形成している。然し、これでは、爪部の圧入不足により、バーナキャップとバーナカバーとの一方に形成した外周筒部がバーナキャップとバーナカバーとの他方に密着せず、両者間の隙間を介して煮こぼれがバーナキャップ上に侵入してしまうことがある。
【先行技術文献】
【特許文献】
【０００７】
【特許文献１】特開２０１４−７７５９３号公報
【発明の概要】
【発明が解決しようとする課題】
【０００８】
本発明は、以上の点に鑑み、上記先願のものを改良して、煮こぼれがバーナキャップ上に侵入することを確実に防止できるようにしたコンロバーナを提供することをその課題としている。
【課題を解決するための手段】
【０００９】
上記課題を解決するために、本発明は、バーナボディ上に載置される環状のバーナキャップを備え、バーナボディの上面外周部とバーナキャップの下面外周部との一方に他方に当接する環状壁を突設して、この環状壁に、周方向の間隔を存して複数の炎口を形成したコンロバーナであって、バーナキャップの上面を上下方向の隙間を存して覆う環状のバーナカバーを備えるものにおいて、バーナカバーの外周縁部とバーナキャップの上面外周部との少なくとも一方に、バーナキャップとバーナカバーとの間の隙間を全周に亘り閉塞する外周筒部が設けられ、バーナキャップの上面に第１環状板、バーナカバーの下面に第２環状板が固定され、第１環状板の周方向複数個所に舌片状の固定片、第２環状板の周方向複数個所に舌片状の係合片が設けられ、係合片と固定片との一方に、当該一方が係合片である場合は上方、当該一方が固定片である場合は下方に膨出する凸部が形成され、係合片が固定片の周方向一方に外れた状態からバーナカバーを周方向他方に回動させることにより、係合片と固定片との少なくとも一方を上下方向に弾性変形させた状態で係合片が固定片の下方に凸部を挟んで重ね合せられるようにしたことを特徴とする。
【００１０】
本発明によれば、係合片を固定片の下方に凸部を挟んで重ね合せることにより、係合片と固定片との少なくとも一方が上下方向に弾性変形して、その弾性変形反力によりバーナカバーに下方への押し付け力が作用する。そして、この押し付け力によりバーナキャップとバーナカバーとの一方に形成した外周筒部がバーナキャップとバーナカバーとの他方に密着し、両者間に隙間を生じない。従って、この隙間を介してバーナキャップ上に煮こぼれが侵入することを確実に防止できる。
【００１１】
また、本発明においては、係合片と固定片との他方（凸部を形成しない方）に、係合片が固定片の下方に重ね合せられたときに凸部の一部が入り込む穴部が形成されることが望ましい。これによれば、係合片が固定片の下方に重ね合せられるバーナカバーの回動位相を係合位相として、バーナカバーは、凸部の一部が穴部に入り込むことにより係合位相に係止され、バーナカバーが洗浄時等に係合位相から不用意に回動してしまうことを防止できる。
【図面の簡単な説明】
【００１２】
【図１】本発明の第１実施形態のコンロバーナを示す斜視図。
【図２】第１実施形態のコンロバーナの切断側面図。
【図３】（ａ）第１実施形態のコンロバーナのバーナカバーの斜め下方から見た斜視図、（ｂ）実施形態のコンロバーナのバーナキャップの斜め上方から見た斜視図。
【図４】図２のＩＶ−ＩＶ線で切断した拡大断面図。
【図５】第２実施形態のコンロバーナの要部の拡大断面図。
【発明を実施するための形態】
【００１３】
図１、図２を参照して、ＴＰは、ガスコンロの天板であり、この天板ＴＰに開設したバーナ用開口ＴＰａに臨ませて本発明の実施形態のコンロバーナ１が配置されている。コンロバーナ１は、混合管２の下流端から上方にのびてバーナ用開口ＴＰａに挿通されるバーナボディ３と、バーナボディ３上に載置される環状のバーナキャップ４とを備えている。尚、コンロバーナ１には、バーナキャップ４の内周空間を通して上方に突出する鍋底温度センサ５と、バーナキャップ４の周囲一箇所に突設したターゲット部４ａに対向する点火電極６とが付設されている。
【００１４】
バーナボディ３は、内筒３１と外筒３２とで中空環状に形成される。外筒３２の上端部には、内曲げフランジ部３３が形成されている。また、外筒３２には、バーナ用開口ＴＰａを上方から覆うカバーリング７が外挿されている。
【００１５】
バーナキャップ４の内周部には、内筒３１の上端部に内嵌するシール筒部４１が垂設されている。また、バーナキャップ４の下面外周部には、バーナボディ３の上面外周部たる外筒３２の内曲げフランジ部３３の上面に当接する環状壁４２が突設されている。そして、環状壁４２に、周方向の間隔を存して溝から成る複数の炎口４３を形成し、混合管からの混合気（燃料ガスと一次空気との混合ガス）がこれら炎口４３から噴出して燃焼するようにしている。尚、バーナボディ３の上面外周部に、バーナキャップ４の下面外周部に当接する環状壁を突設して、これに炎口を形成することも可能である。
【００１６】
バーナキャップ４の下面一箇所には、内曲げフランジ部３３の周方向一箇所に形成した凹欠部３３ａに係合する位相決め用の突起部４４が設けられている。また、バーナキャップ４は、ＡＤＣ１２等のアルミ合金製として、軽量化を図っている。
【００１７】
ところで、燃焼時に炎口４３に近く高温になるバーナキャップ４の上面外周寄り部分に煮こぼれが落下すると、煮こぼれが落下したバーナキャップ４の部分が急冷されて、バーナキャップ４の耐久性に悪影響が及ぶ。そのため、バーナキャップ４の上面を上下方向の隙間を存して覆う環状の板材から成るバーナカバー８を設けて、バーナキャップ４の上面に煮こぼれが落下することを防止している。尚、バーナカバー８は、ステンレス製として、高級感を醸し出している。
【００１８】
ここで、バーナカバー８を設けるだけでは、バーナカバー８上に落下した煮こぼれがバーナカバー８の外周縁からバーナカバー８の下面に回り込んで、バーナキャップ４の上面外周寄り部分に落下する恐れがある。そこで、バーナカバー８の外周縁部に、下方にのびる外周筒部９を形成し、この外周筒部９をバーナキャップ４の上面外周部に着座させて、バーナキャップ４とバーナカバー８との間の隙間を外周筒部９により全周に亘り閉塞している。これによれば、バーナカバー８上に落下した煮こぼれがバーナカバー８の外周縁からバーナカバー８の下面に回り込むことを外周筒部９で阻止でき、煮こぼれがバーナカバー８の下面を伝ってバーナキャップ４の上面外周寄り部分に落下することを防止できる。
【００１９】
また、バーナカバー８の内周縁部にも、下方にのびる内周筒部８１が形成されている。この内周筒部８１は、バーナキャップ４のシール筒部４１の上方に位置しており、バーナカバー８上に落下して内周側に流れた煮こぼれは内周筒部８１を伝ってシール筒部４１の内周に落下する。
【００２０】
ところで、バーナカバー８を下方に押し付けておかないと、外周筒部９がバーナキャップ４の上面に密着せず、外周筒部９とバーナキャップ４との間に生ずる僅かな隙間から煮こぼれがバーナキャップ４上に侵入してしまう。
【００２１】
そこで、本実施形態では、図３に明示する如く、バーナキャップ４の上面に第１環状板４５を固定すると共に、バーナカバー８の下面に第１環状板４５よりも小径の第２環状板８２をスポット溶接等で固定している。第１環状板４５の周方向３個所には、少許上方にオフセットした状態で径方向内方に張出す舌片状の固定片４５１が設けられている。また、第２環状板８２の周方向３箇所には、少許下方にオフセットした状態で径方向外方に張出す、固定片４５１よりも僅かに下方に位置する舌片状の係合片８２１が設けられている。
【００２２】
係合片８２１には、図４に明示する如く、上方に膨出する凸部８２２が形成されている。そして、係合片８２１が図４に仮想線で示す如く固定片４５１の周方向一方に外れた状態からバーナカバー８を周方向他方に回動させることにより、係合片８２１を下方に弾性変形させた状態で係合片８２１が固定片４５１の下方に凸部８２２を挟んで重ね合せられるようにしている。尚、本実施形態では、第１環状板４５が厚板であるため、固定片４５１は高剛性で上下方向に弾性変形しないが、第１環状板４５を薄板として、係合片８２１が固定片４５１の下方に重ね合されるときに固定片４５１が上方に弾性変形するようにしてもよい。
【００２３】
以上の構成によれば、係合片８２１の弾性変形反力（固定片４５１が上方に弾性変形する場合は固定片４５１の弾性変形反力）によりバーナカバー８に下方への押し付け力が作用する。そして、この押し付け力により外周筒部９がバーナキャップ４の上面に密着し、外周筒部９とバーナキャップ４との間に隙間を生じない。従って、この隙間を介してバーナキャップ４上に煮こぼれが侵入することを確実に防止できる。
【００２４】
更に、本実施形態では、固定片４５１に、係合片８２１が固定片４５１の下方に重ね合せられたときに凸部８２２の一部（上部）が入り込む穴部４５２が形成されている。そのため、係合片８２１が固定片５４１の下方に重ね合せられるバーナカバー８の回動位相を係合位相として、バーナカバー８は、凸部８２２の一部が穴部４５２に入り込むことにより係合位相に係止され、バーナカバー８が洗浄時等に係合位相から不用意に回動してしまうことを防止できる。尚、穴部４５２は、切り欠き形状に形成されているが、丸穴状に形成されていてもよい。
【００２５】
また、第１環状板４５の固定片４５１から外れた周方向３箇所には、下方に屈曲する爪部４５３が設けられ、一方、バーナキャップ４の上面の周方向３箇所には、爪部４５３の周方向幅よりも若干小径の凹孔４６が形成されている。そして、爪部４５３を凹孔４６に圧入することで、第１環状板４５がバーナキャップ４の上面に固定されるようにしている。また、外周筒部９が第１環状板４５１に外嵌して、バーナカバー８がバーナキャップ４に対し芯決めされるようにしている。
【００２６】
次に、図５に示す第２実施形態について説明する。第２実施形態では、バーナキャップ４の上面外周部に、バーナキャップ４とバーナカバー８との間の隙間を全周に亘り閉塞する外周筒部９を形成している。尚、外周筒部９には、バーナカバー８に外嵌する上端部の下側に位置させて、バーナカバー８の下面外周部が着座する、径方向内方に張出す受座９ａが形成されている。
【００２７】
第２実施形態のものも上記第１実施形態と同様に、バーナキャップ４の上面に第１環状板４５を固定すると共に、バーナカバー８の下面に第２環状板８２を固定している。そして、第１環状板４５の周方向複数個所に設けた固定片４５１の下方に第２環状板８２の周方向複数個所に設けた係合片８２１がこれに形成した凸部８２２を挟んで重ね合せられ、係合片８２１が下方に弾性変形して、その反力によりバーナカバー８が受座９ａに密着するようにしている。
【００２８】
以上、本発明の実施形態について図面を参照して説明したが、本発明はこれに限定されない。例えば、上記実施形態では、係合片８２１に上方に膨出する凸部８２２を形成しているが、固定片４５１に下方に膨出する凸部を形成してもよい。この場合は、係合片８２１に凸部の一部（下部）が入り込む穴部を形成する。また、外周筒部９を上下２半部に分割して、バーナカバー８の外周縁部に形成した外周筒部の上半部をバーナキャップ４の上面外周部に形成した外周筒部の下半部上に着座させてもよい。
【符号の説明】
【００２９】
１…コンロバーナ、３…バーナボディ、４…バーナキャップ、４２…環状壁、４３…炎口、４５…第１環状板、４５１…固定片、４５２…穴部、８…バーナカバー、８２…第２環状板、８２１…係合片、８２２…凸部、９…外周筒部。
【図１】
0006595359.tif 000002
【図２】
0006595359.tif 000003
【図３】
0006595359.tif 000004
【図４】
0006595359.tif 000005
【図５】
0006595359.tif 000006